(57)【要約】  【課題】打鍵時の爪の衝突音が甲高く響くのを防止して打鍵時の音質を向上させ得る樹脂製の電子鍵盤楽器用鍵を提供する。  【解決手段】上壁１１及び少なくとも２つの側壁１４，１５を備え該側壁間に中空部１８を有した樹脂製の鍵本体１０と、中空部１８内で該鍵本体と一体化した樹脂で形成された振動吸収部材２０とを備えたことを特徴とする電子鍵盤楽器用鍵１。【選択図】図１
2009098628.tif 000002
【特許請求の範囲】
【請求項１】
上壁及び少なくとも２つの側壁を備え該側壁間に中空部を有した樹脂製の鍵本体と、前記中空部内で該鍵本体と一体化した樹脂で形成された振動吸収部材とを備えたことを特徴とする電子鍵盤楽器用鍵。
【請求項２】
前記振動吸収部材が、前記中空部内での発泡により前記鍵本体と一体化した樹脂で形成されていることを特徴とする請求項１に記載の電子鍵盤楽器用鍵。
【請求項３】
前記振動吸収部材が、前記中空部内に充填されてゲル化することにより前記鍵本体と一体化したゲルで形成されていることを特徴とする請求項１に記載の電子鍵盤楽器用鍵。
【請求項４】
前記振動吸収部材が、前記上壁における打鍵箇所の下部に設けられていることを特徴とする請求項１から３のいずれかに記載の電子鍵盤楽器用鍵。
【請求項５】
前記振動吸収部材が、前記側壁において鍵長手方向に長く延びる下端より上方に位置することを特徴とする請求項１から４のいずれかに記載の電子鍵盤楽器用鍵。
【請求項６】
前記上壁の下面に沿って前記振動吸収部材が結合され、鍵以外の部材と協働する機能部分が前記振動吸収部材より下方に位置していることを特徴とする請求項１から５のいずれかに記載の電子鍵盤楽器用鍵。
【請求項７】
鍵以外の部材と協働する機能部分が前記鍵本体の中空部にあり、前記鍵本体は、該機能部分が位置する領域を仕切る中間壁を、前記上壁または側壁に結合して備え、前記振動吸収部材が、前記中間壁で仕切られた領域の外側に設けられていることを特徴とする請求項１から６のいずれかに記載の電子鍵盤楽器用鍵。
【請求項８】
前記上壁の下面に前記振動吸収部材が結合された上部部材と、鍵以外の部材と協働する機能部分が位置する下部部材とを備え、前記下部部材は、前記上部部材と別体であり、前記振動吸収部材の下面に結合されていることを特徴とする請求項１から７のいずれかに記載の電子鍵盤楽器用鍵。
【請求項９】
前記振動吸収部材が、前記上壁及び１対の側壁の内面に沿って形成され、断面が逆Ｕ字状となっていることを特徴とする請求項１から８のいずれかに記載の電子鍵盤楽器用鍵。
【請求項１０】
前記側壁が、前記上壁と一体成形され間に前記中空部を有した１対の内側壁と、該内側壁の外側に結合された外側壁とを備えていることを特徴とする請求項１から９のいずれかに記載の電子鍵盤楽器用鍵。
【請求項１１】
前記振動吸収部材が、多数の微細な高質量材料を含んでいることを特徴とする請求項１から１０のいずれかに記載の電子鍵盤楽器用鍵。
【請求項１２】
前記鍵本体は半透明の樹脂からなり、前記上壁の下面には、該上壁の打鍵面側から模様として見えるように凹凸部が形成されていることを特徴とする請求項１から１１のいずれかに記載の電子鍵盤楽器用鍵。
【発明の詳細な説明】
【技術分野】
【０００１】
本発明は、電子鍵盤楽器用の鍵に関する。
【背景技術】
【０００２】
電子鍵盤楽器には、樹脂製の鍵が一般的に使用されている。樹脂製の鍵は、打鍵面となる上壁、演奏者側の前壁、及び両側壁等で囲まれた箱形とされる。したがって、木材片の上面に樹脂板や象牙板を貼り付けた木製の鍵に比べて、製造が容易でありコストも低い。
【０００３】
しかしながら、樹脂製の鍵は箱形で中空であるので、中実構造の木製鍵盤と異なり、指で打鍵する際、特に爪が打鍵面に当たる時に、衝突音が中空部に響いてカチカチという甲高い雑音として聞こえる難点がある。
【０００４】
鍵盤は、鍵盤楽器で音楽を奏でる上での主たる入力装置であり、それを構成する鍵にも高い品質や高級感が求められるが、打鍵時の爪の衝突音が甲高く響くと、安っぽい印象を与えてしまう。さらに、ヘッドフォンやイヤフォンをつけて演奏すると、演奏音は演奏者にのみ聞こえ外部へ発せられないので、楽器の近くにいる者には爪の衝突音がさらに目立って聞こえることになる。
【０００５】
鍵の打鍵時の雑音防止に関し、例えば、特許許文献１に記載の技術は、電子ピアノの鍵盤ユニットを棚板に取り付ける際にネジの頭部と棚板との間にクッション材を介在させ、打鍵時の鍵盤ユニットの振動が棚板に伝わるのをクッション材で吸収するものである。これは、打鍵時の棚板の振動による雑音を抑制するものでり、鍵と爪との衝突音に対する対策とはならない。
【０００６】
また、特許文献２に記載のものは、鍵の回動支点となる部分を樹脂製とし、手前側を木製として、回動支点のための係合部の精度を高めつつ木質の外観と剛性を得るものである。これは、木材を使用するものであるので、従来の木製鍵盤と大差のない製造コストが掛かってしまう。
【０００７】
特許文献３に記載の鍵盤楽器用鍵は、天面から所定の厚さ以上で下方に延び前後方向に連続する中実部を有する鍵本体を発泡合成樹脂で製作し、前記天面を合成樹脂製の鍵カバーで覆ったものである。この鍵は、鍵カバーの下に中実の発泡合成樹脂を接着することにより、鍵の剛性と重量を大きくすると共に、鍵を叩いたときに空洞感のある音が生じるのを防ごうとするものである。
【特許文献１】特開２０００−１３２１６８号公報
【特許文献２】特許３７５８５９０号公報
【特許文献３】特開２００５−１９５９８７号公報
【発明の開示】
【発明が解決しようとする課題】
【０００８】
しかしながら、特許文献３の鍵は、鍵本体を予め発泡合成樹脂で製作し、その天面に合成樹脂製の鍵カバーを接着したものであるので、鍵本体の成形型を必要とする。特に、電子鍵盤楽器用の鍵の場合は、鍵フレームと係合して押鍵時または非押鍵時の鍵の下降または上昇を規制する鍵ストッパ等の機能部分を本体部分と一体成形することがある。これらの機能部分を発泡樹脂で成形するには、成形型を機能部分に対応した形状とし、且つ発泡樹脂製の機能部分に必要な剛性を持たせる必要があるため、製造が複雑で困難なものとなり、製造コストも高騰する。
【０００９】
本発明は、これらの問題を解決すべくなされたものであり、打鍵時の爪の衝突音が甲高く響くのを防止して打鍵時の音質を向上させることができ、且つ製造を容易に且つ低コストで行ない得る樹脂製の電子鍵盤楽器用鍵を提供することを目的とする。
【課題を解決するための手段】
【００１０】
（１）本発明は、前記目的を達成するため、上壁及び少なくとも２つの側壁を備え該側壁間に中空部を有した樹脂製の鍵本体と、前記中空部内で該鍵本体と一体化した樹脂で形成された振動吸収部材とを備えることを特徴とする電子鍵盤楽器用鍵を提供するものである。
【００１１】
この電子鍵盤楽器用鍵は、鍵本体の中空部内で該鍵本体と一体化した樹脂による振動吸収部材を備えているので、振動吸収部材を備えないものから鍵本体の固有振動数が変化すると共に、打鍵時の爪の衝突による振動は振動吸収部材で吸収され、その結果、カチカチという耳障りな甲高い音が抑制され、打鍵時に鍵自身が発する音の音質が向上する。しかも、振動吸収部材は、鍵本体における少なくとも２つの側壁の中空部内に形成して鍵本体と一体化させればよいので、該中空部を利用して樹脂の充填、発泡等を行なえばよく、製造が容易で製造コストが低廉となる。また、振動吸収部材の結合は鍵の壁部を補強するので、剛性を高め、強い打鍵時にも反り・捩れ感のない堅固な鍵とすることができる。さらに、振動吸収部材は、鍵の重量を増し、演奏時の鍵に質量感を与えて演奏性を高めることができる。
【００１２】
（２）上記（１）の電子鍵盤楽器用鍵は、前記振動吸収部材が、前記中空部内での発泡により前記鍵本体と一体化した樹脂で形成されたものとすることができる。この場合は、前記中空部内に原料樹脂を供給して発泡させれば、鍵本体の樹脂に接触した状態で原料樹脂が発泡し、これにより発泡樹脂は鍵本体と強固に接着して一体化する。こうして、振動吸収部材を容易に且つ低コストで鍵本体に設けることができる。
【００１３】
（３）上記（１）及び（２）の電子鍵盤楽器用鍵は、前記振動吸収部材が、前記中空部内に充填されてゲル化することにより前記鍵本体と一体化したゲルで形成されたものとすることができる。この場合は、前記中空部内に原料樹脂を供給してゲル化させれば、鍵本体の樹脂に接触した状態で原料樹脂がゲル化し、これによりゲル化樹脂は鍵本体と強固に固着して一体化する。こうして、振動吸収部材を容易に且つ低コストで鍵本体に設けることができる。
【００１４】
（４）上記（１）から（３）の電子鍵盤楽器用鍵は、前記振動吸収部材が、前記上壁における打鍵箇所の下部に設けられたものとすることができる。これにより、最も爪の衝突音を響かせ易い箇所で消音が行なわれ、効率的な改善効果が得られる。
【００１５】
（５）上記（１）から（４）の電子鍵盤楽器用鍵は、前記振動吸収部材が、前記側壁において鍵長手方向に長く延びる下端より上方に位置するものとすることができる。振動吸収部材は、鍵本体の上壁から前記側壁下端までの大きさとしなくても爪の衝突音の抑制効果を発揮することができる。また、樹脂の使用量を少なくすることにより、鍵が重くなりすぎず、打鍵時の適度な重量感を持たせることができる。このように樹脂の使用量を少なくすることにより、製造コストはより低く抑えられる。
【００１６】
（６）上記（１）から（５）の電子鍵盤楽器用鍵は、前記上壁の下面に沿って前記振動吸収部材が結合され、鍵以外の部材と協働する機能部分が前記振動吸収部材より下方に位置しているものとすることができる。これにより、機能部分に邪魔されることなく振動吸収部材を形成することができ、振動吸収部材を上壁の下面に沿って連続的に形成したり、上壁の下面全体に形成したりすることもでき、製造がより容易となる。
【００１７】
（７）上記（１）から（６）の電子鍵盤楽器用鍵は、鍵以外の部材と協働する機能部分が前記鍵本体の中空部にあり、前記鍵本体は、該機能部分が位置する領域を仕切る中間壁を、前記上壁または側壁に結合して備え、前記振動吸収部材が、前記中間壁で仕切られた領域の外側に設けられたものとすることができる。鍵本体におけるこの機能部分は、鍵ガイドと動的に接触する部分、アクチュエータが取付けられる部分等、鍵本体以外の部材（機能部材）と協働する部分である。したがって、機能部分の位置する領域が樹脂で覆われると機能部材が機能できなくなる。これに対し、振動吸収部材が、上記のように前記中間壁で仕切られた領域の外側に設けられることにより、機能部分は振動吸収部材に邪魔されることなく、機能部材を受け入れることができる。
【００１８】
（８）上記（１）から（７）の電子鍵盤楽器用鍵は、前記上壁の下面に前記振動吸収部材が結合された上部部材と、鍵以外の部材と協働する機能部分が位置する下部部材とを備え、前記下部部材は、前記上部部材と別体であり、前記振動吸収部材の下面に結合されているものとすることができる。これにより、上部部材は、機能部分や該部分に位置する部材に邪魔されることなく振動吸収部材を形成することができ、振動吸収部材を上壁の下面に沿って連続的に形成したり、上壁の下面全体に形成したりすることもできる。下部部材は、振動吸収部材の形成から切り離して、機能部分に最適な製造形態で形成することができる。そして、上部部材に下部部材を結合すればよいので、製造が容易である。また、上壁打鍵時の爪の衝突による振動は振動吸収部材で吸収され、振動吸収部材は上壁と下部部材とで上下を挟まれているので、振動吸収部材に伝わった音が外部へ漏れ出るのが防止され、甲高い音がより効果的に抑制される。
【００１９】
（９）上記（１）から（８）の電子鍵盤楽器用鍵は、前記振動吸収部材が、前記上壁及び１対の側壁の内面に沿って形成され、断面が逆Ｕ字状となっているものとすることができる。こうして必要な量の振動吸収部材を設けることにより、材料の無駄を省くことができる。また、上壁及び側壁に沿った外壁寄りに振動吸収部材を設けることにより、鍵の剛性向上を効率的に行なうことができる。
【００２０】
（１０）上記（１）から（９）の電子鍵盤楽器用鍵は、前記側壁が、前記上壁と一体成形され間に前記中空部を有した１対の内側壁と、該内壁の外側に結合された外側壁とを備えているものとすることができる。これにより、外側壁を内側壁と別個に形成することができ、外側壁として、例えば木質感のある材料を用いる等により、外観の優れた鍵とすることができ、その場合にも製造コストを低く抑えることができる。
【００２１】
（１１）上記（１）から（１０）の電子鍵盤楽器用鍵は、前記振動吸収部材が、多数の微細な高質量材料を含んでいるものとすることができる。これにより、鍵に適切な質量を持たせることが容易となり、別個に質量体を設ける必要性をなくすこともできる。また、各鍵に同じ寸法の振動吸収部材を備えさせながら、高質量材料の含有量を調整することにより、鍵によって質量を異ならせることもできる。したがって、例えば、低音側を高音側より重くする等により、より良好なタッチ感を得ることができる。
【００２２】
（１２）上記（１）から（１１）の電子鍵盤楽器用鍵は、前記鍵本体が半透明の樹脂からなり、前記上壁の下面には、該上壁の打鍵面側から模様として見えるように凹凸部が形成されているものとすることができる。このように凹凸部が模様として打鍵面側から見えるので、前述の効果に加えて、直線や曲線の凹凸部で線状の模様を描いたり、上壁断面で見て細かい波形となるように凹凸部を面状の模様とすることができる。特に、後者の模様では、上壁の上面と下面とで反射光の強度分布が異なることによる特有の深みのある外観が得られる。また、これらの模様には、振動吸収部材の色彩や模様を加えることができ、この場合にも半透明の鍵本体を通して見える色彩や模様により、深みのある外観が得られる。
【発明の効果】
【００２３】
以上の通り、本発明によれば、打鍵時の爪の衝突音が甲高く響くのを防止して打鍵時の音質を向上させることができ、且つ製造を容易に且つ低コストで行ない得る樹脂製の電子鍵盤楽器用鍵を提供することができる。
【発明を実施するための最良の形態】
【００２４】
以下、本発明の実施形態について添付図面を参照しつつ説明する。図中の同一又は同種の部分については、同じ番号を付して説明を省略することがある。また、以下の説明においては、鍵が電子鍵盤楽器に組み込まれたときに演奏者に近い側となる方を前と称する。
【００２５】
図１から図５は本発明の一実施形態に係る電子鍵盤楽器用鍵を示しており、図１は斜視図、図２は平面図、図３は底面図、図４は右側面図、図５は図２のV−V線に沿う断面図である。ここでは、白鍵を対象としており、図１では、説明の対象とする白鍵を実線、隣り合う黒鍵及び白鍵を一点鎖線で示している。
【００２６】
図示の鍵は、打鍵面となる上壁１１、演奏者側の前壁１２、その反対側の後壁１３、及び側壁１４，１５を備え、これらの壁部は下面が開いた箱形の鍵本体１０を形成している。一方の側壁１４は直線状に延び、他方の側壁１５は、黒鍵を受け入れるための段部を形成している。鍵の前壁２２及び側壁１４、１５の前端部分は下方へ長く延びており、鍵盤が装着される棚板のガイド部により上下方向に案内される役割をなす。鍵の前寄り部分には、上壁１１から下方へ鍵ストッパ１７が延びている。この鍵ストッパ１７は、図外の鍵フレームと協働するもので、押鍵時には鍵フレームの当接部に当接して鍵の下降を制限し、非押鍵状態には鍵フレームの係合部に係合して鍵の上昇を制限する。これら鍵本体１０の壁部を形成する樹脂としては、スチレン系のＡＳ，ＡＢＳ等の通常の樹脂製鍵盤に用いられるものが使用される。
【００２７】
これらの壁部で囲まれた中空部には、振動吸収部材２０が充填されている。振動吸収部材は、発泡樹脂、ゲル等の樹脂で形成することができる。発泡樹脂としては、オレフィン系、スチレン系、塩化ビニル系等の種々のものを使用することができ、例えばウレタンのように、自己接着性の高い樹脂が望ましい。
スチレン系の樹脂は、鍵の壁部に対して近似した物性を示し結合性に優れているので望ましい。また、発泡の程度は、鍵に求められる消音性、剛性、重量感に応じて決めることができ、ソフトな発泡材、或いは硬質な発泡材等を選択することができる。振動吸収部材２０は中空部に充填された状態で鍵本体１０に結合している。
【００２８】
中空部に充填された振動吸収部材２０は、爪の衝突による打鍵面の振動を吸収すると共に樹脂板の固有振動数を変化させる。また、鍵の剛性が高くなることにより、打鍵面の振幅が減少する。その結果、爪の衝突音が甲高く響くのを防止して鍵自身が発する打鍵時の音質を向上させる。特に、振動吸収部材が樹脂の発泡体である場合は、発泡体が打鍵面の振動をよく吸収して衝突音を低減する。また、発泡の程度を低く抑えれば、振動吸収部材の剛性が高くなるので、中空部に充填されることにより、壁部を補強して鍵全体の剛性を高める。これにより、強い打鍵時にも撓みを生じ難い堅牢性が得られる。さらに、振動吸収部材は鍵の重量を増し、演奏時の質量感を与えることにより演奏性を高める。
【００２９】
図６及び図７は、本発明の他の実施形態に係る電子鍵盤楽器用鍵を示しており、図６は縦断側面図、図７は底面図である。この鍵は、鍵本体１０が、前述の鍵と同じ壁部を有している。図示のように、鍵本体１０は、さらに、黒鍵を受け入れる段部を境として、幅広部及び幅狭部を備えており、鍵ストッパ１７は、幅広部の内部において幅狭部に移行する部分で幅狭部の幅全体に亘る幅で設けられている。そして、鍵の上壁１１、前壁２２、側壁１４、１５及び鍵ストッパ１７が形成する下方に開いた中空部の全体を満たすように振動吸収部材２０が充填されている。鍵本体１０の打鍵面のにおける幅広部は、通常の打鍵時に指が触れる打鍵箇所となっているので、打鍵箇所の下部に振動吸収部材２０が設けられていることになる。
【００３０】
このように、図６及び図７の実施形態においては、爪が衝突音を発する打鍵箇所の下部に振動吸収部材２０が設けられていることにより、振動吸収部材の使用量を少なくして効率的に衝突音の改善効果を得ることができる。また、振動吸収部材の剛性を高くして、鍵の剛性を高める上でも幅広部の剛性を高めることができ、振動吸収部材による鍵の重量増加も、特に鍵前端寄りの質量を増すので、振動吸収部材の作用効果が効率的に発揮される。
【００３１】
図８は、本発明のさらに他の実施形態に係る電子鍵盤楽器用鍵を縦断側面図で示している。この実施形態においては、図６の実施形態と同様に鍵の上壁１１、前壁１２、側壁１４、１５及び鍵ストッパ１７が形成する下方に開いた中空部に振動吸収部材２０が充填されているが、中空部の底部には空間が残るように部分的な充填となっている。この実施形態においても、図６の例と同様の効果を得ることができるが、中空部の充填樹脂の量と形状が図６のものと異なるので、爪衝突音の改善効果も異なる。その結果、爪の衝突音は、この鍵のものと図６の鍵とで異なる。このようにして、振動吸収部材を鍵の中空部に充填するには、爪の衝突音が雑音として聞こえ難いように、その充填形態を決めるのが望ましい。
【００３２】
図９は、本発明のさらに他の実施形態に係る電子鍵盤楽器用鍵を底面図で示している。この実施形態においては、振動吸収部材２０は、側壁１５ａ以外の箇所で鍵側面に露出している。このために鍵本体１０の側壁１５ａは、段部を有する側においてが細幅部及び段部のみに設けられている。したがって、この鍵が配列された鍵盤装置において、図１０に示すように打鍵が行なわれると、打鍵された鍵の隣の鍵の振動吸収部材２０が見え、樹脂板とは違った見え掛かりとなる。特に、振動吸収部材２０を木質風に着色しておくことにより、木製鍵盤に近い風合いを持たせることができる。このような見え掛かりの改善を得るためには、鍵の側部に形成する側壁の形状を変え、或いは、側壁をなくして鍵側面全体に振動吸収部材が露出するようにしてもよい。
【００３３】
上記各実施形態において、振動吸収部材２０が中空部に充填された状態で鍵本体に結合された状態として製造するには、成形された鍵本体を成形型内に納め、その型内に樹脂を注入した後に発泡、ゲル化等を行なう方法、その成形型内への樹脂注入をインサート成形又はアウトサート成形として行なう方法等を採用することができる。
【００３４】
図１１は、本発明のさらに他の実施形態に係る電子鍵盤楽器用鍵を縦断側面図で示している。この電子鍵盤楽器用鍵１は、上壁１１、前壁１２、後壁１３、及び側壁１４，１５を備え箱形をなす鍵本体１０の中空部１８内に振動吸収部材２０を備えている。この実施形態では、振動吸収部材２０が、樹脂を中空部１８内で発泡させることにより鍵本体１０と一体化させている。
【００３５】
この鍵１は、図１２に示すようにして製造することができる。先ず、上壁１１、前壁１２、後壁１３、及び側壁１４，１５を備え中空部１８が形成された鍵本体１０を樹脂成形する。これとは別に、治具３１を用意する。治具３１は、中空部１８に挿入されて発泡時に樹脂の拡大範囲を制限する挿入部３１０を備えている。
【００３６】
次に、図１２(a) に示すように、鍵本体１０を上下逆にして置き、中空部１８の開口側から発泡前の樹脂Ｒを上壁１１上に載せる。樹脂は、１液性及び２液性のいずれも使用することができる。１液性の場合は、湿気硬化型であれば大気中の湿気で反応して発泡する。２液性の場合は、最初の樹脂を上壁１１上に載せた後、適切な必要なタイミングで次の樹脂を加えて発泡させることができる。したがって、多数の鍵の製造の際には作業性を向上させるのに有利である。
【００３７】
次に、治具３１を下降させ、挿入部３１０を中空部１８内に挿入し、図１２(b) の状態とする。挿入深さは、各挿入部の下方に樹脂の発泡空間が残るように設定する。
【００３８】
次に、樹脂の発泡機能に従って発泡を開始させる。図１２(b) に示すように、発泡が開始されて体積が増した樹脂は、治具３１で拡大方向が制限され、上端は治具３１の面に沿う平坦面となる。こうしてできた発泡体Ｒ’により振動吸収部材２０が得られる。この振動吸収部材２０は、図１１に示すように、側壁１４において鍵長手方向に長く延びる下端１４１より上方に位置する。したがって、振動吸収部材２０（発泡体）が鍵本体１０からはみ出て見えるということがなく、鍵の良好な外観が保たれる。また、樹脂は、淡色系のものを使用するのが望ましい。これは、鍵本体を通して内部の発泡樹脂の色が見えることがあるからである。
【００３９】
なお、鍵本体１０の開口部と治具３１との嵌合箇所を液密にすれば、鍵本体１０を通常の向きとし、開口部の下方から治具３１を中空部１８内に挿入して、発泡工程を行なうこともできる。この場合は、治具３１上に発泡前の樹脂を載せるか、治具３１に樹脂の供給孔を形成して注入するという手段をとることができる。また、発泡前の樹脂を上壁１１上に均一状に載せれば、発泡体の厚さもほぼ均一となるので、この場合は治具３１を省略することも可能である。
【００４０】
鍵本体１０の中空部１８には、上記鍵ガイド、アクチュエータの他、鍵の上下位置規制用のストッパ部材との当接部や、鍵と連動する質量体を備える場合における質量体駆動用の駆動部等のような鍵以外の部材と、接触や取付け等の協働関係を有する機能部分が必要となる場合がある。これらの機能部分は、図１１のように形成された振動吸収部材２０の下方に位置する構成とすることができる。図１１には、振動吸収部材２０の下方にアクチュエータ１４０が位置する状態を一点鎖線で示している。このアクチュエータ１４０は側壁１４，１５に接着により固着されている。また、アクチュエータ１４０のような部材を固着するためのリブ１４２を側壁１４，１５に一体成形しておくこともできる。このようにして、振動吸収部材２０の成形後に、その下方に機能部分を位置させるようにすれば、機能部分に邪魔されることなく振動吸収部材２０を形成することができ、振動吸収部材２０を上壁１１の下面に沿って連続的に形成したり、上壁１１の下面全体に形成したりすることもでき、製造が容易となる。
【００４１】
図１３は、本発明のさらに他の実施形態に係る電子鍵盤楽器用鍵を鍵盤装置の一部と共に縦断側面図で示している。図示の鍵盤装置は、楽器本体に設置され鍵１を支持する鍵フレーム１１０と、鍵の後端部を回動可能に支持する回動支点１２０と、鍵を上下方向に案内する鍵ガイド１３０とを備えている。鍵ガイド１３０は、側壁１４に接して鍵の幅方向の位置決め及びガイドを行なう。鍵１にはさらに、やや後方寄りに下方へ延びるアクチュエータ１４０が設けられ、鍵フレーム１１０にはその下方にスイッチ１５０が取り付けられている。アクチュエータ１４０は、押離鍵による上下動の際にスイッチ１５０に接触離反しスイッチのＯＮ／ＯＦＦを行なう。鍵フレーム１１０には鍵ストッパ１７を通す開口部が形成されており、押鍵状態に鍵ストッパ１７が当接する箇所に緩衝部材１１１、非押鍵状態に鍵ストッパ１７のフック部１７１係合する箇所に緩衝部材１１２が取り付けられている。
【００４２】
この鍵盤装置の鍵１は、側壁１４，１５における鍵ガイド１３０との接触部分（機能部分）が位置する領域を仕切る１対の中間壁４１ａ，４１ｂ、及びアクチュエータ１４０の取付け部分（機能部分）が位置する領域を仕切る１対の中間壁４２ａ，４２ｂを備えている。中間壁４１，４２は、鍵本体１０の幅方向に延び側壁１４，１５及び上壁１１に接合するように鍵本体１０と一体成形されている。そして、振動吸収部材２０は、中間壁４１ａ，４１ｂ，４２ａ，４２ｂで仕切られた領域４１０，４２０の外側に設けられている。このように、振動吸収部材が、中間壁で仕切られた領域４１０，４２０の外側に設けられることにより、鍵ガイド１３０は領域４１０に進入することができ、アクチュエータ１４０は領域４２０内に挿入して上壁１１に取り付けられることができる。
【００４３】
この鍵１は、図１４に示すようにして製造することができる。先ず、上壁１１、前壁１２、後壁１３、側壁１４，１５及び中間壁４１ａ，４１ｂ，４２ａ，４２ｂを備えた鍵本体１０を樹脂成形する。これとは別に、治具３２を用意する。治具３２は、前壁１２とこれに近い中間壁４１ａの間、他方の中間壁４１ｂとこれに近い中間壁４２ａの間、他方の中間壁４２ｂと後壁１３の間に各々挿入される挿入部３２ａ，３２ｂ，３２ｃと、これらの上部を連結する基部３２０とを備えている。
【００４４】
次に図１４(a) に示すように、鍵本体１０を上壁１１が下になるように上下逆にして置き、鍵本体１０の開口側から、前壁１２と中間壁４１ａの間、中間壁４１ｂと中間壁４２ａの間、中間壁４２ｂと後壁１３の間の位置で上壁１１上に、発泡前の樹脂Ｒａ，Ｒｂ，Ｒｃを各々に載せる。
【００４５】
次に、治具３２を下降させ、挿入部３２ａ，３２ｂ，３２ｃを、各々前壁１２と中間壁４１ａの間、中間壁４１ｂと中間壁４２ａの間、中間壁４２ｂと後壁１３の間に挿入し、図１４(b) の状態とする。挿入深さは、各挿入部の下方に樹脂の発泡空間が残るように設定する。
【００４６】
次に、樹脂の発泡機能に従って発泡を開始させる。図１４(b) に示すように、発泡が開始されて体積が増した樹脂は、治具３２で拡大方向が制限され、拡大した端面が挿入部３２ａ，３２ｂ，３２ｃの面に沿った形状となる。こうしてできた発泡体Ｒａ’，Ｒｂ’，Ｒｃ’により振動吸収部材２０が得られる。この振動吸収部材２０は、図１３に示すように、側壁１４において鍵長手方向に長く延びる下端１４１より上方に位置し、鍵本体１０からはみ出て見えるということがなく、鍵の良好な外観が保たれる。
【００４７】
アクチュエータ１４０は、こうして製造された鍵１に接着、ビス止め等により取り付けられる。但し、予めアクチュエータを鍵と一体成形しておくこともでき、これにより組み立て工程数を減少させることができる。
【００４８】
上記の製造工程において、発泡体（振動吸収部材２０）の厚さが中間壁４１ａ，４１ｂ，４２ａ，４２ｂより十分小さければ、治具３２を省略することも可能である。
【００４９】
また、鍵本体１０の中空部１８には、上記鍵ガイド、アクチュエータの他、鍵の上下位置規制用のストッパ部材との当接部や、鍵と連動する質量体を備える場合における質量体駆動用の駆動部等のような鍵以外の部材と、接触や取付け等の協働関係となる機能部分が必要となる場合がある。これらについても、該領域を仕切る中間壁を備え、振動吸収部材２０が、該中間壁で仕切られた領域の外側に設けられたものとするのが望ましい。
【００５０】
図１５は、本発明のさらに他の実施形態に係る電子鍵盤楽器用鍵を鍵盤装置の一部と共に縦断側面図で示している。図示の鍵盤装置は、図１３の例と同様に、鍵ガイドと接触する側壁部分（機能部分）が位置する領域４１０、及びアクチュエータ１４０の取付け部分（機能部分）が位置する領域４２０を備えている。但し、これらの領域は、図１３の例における中間壁を設けることなく、振動吸収部材２０（発泡体）の切欠き部によって形成されている。
【００５１】
この鍵１は、図１６に示すようにして製造することができる。先ず、上壁１１、前壁１２、後壁１３、及び側壁１４，１５を備え、中空部１８が形成された鍵本体１０を樹脂成形する。これとは別に、治具３３を用意する。この実施形態では、アクチュエータ１４０が、上壁１１から下方へ延びるように鍵本体１０に一体成形される。治具３３は、中空部１８に挿入されて発泡時に樹脂の拡大範囲を制限する挿入部３３ｄと、領域４１０，４２０に対応した凸部３３ｅ，３３ｆとを備えている。凸部３３ｆには、アクチュエータ１４０を受け入れる切欠き部３３ｇが形成され、凸部３３ｆは２つに分かれて配置されている。なお、アクチュエータ１４０は、鍵本体１０とは別部材とし、鍵本体１０の成形後に該鍵本体に取り付けるようにしてもよい。
【００５２】
次に図１６(a) に示すように、鍵本体１０を上壁１１が下になるように上下逆にして置き、鍵本体１０の開口側から、前壁１２と領域４１０の間、領域４１０と領域４２０の間、領域４２０と後壁１３の間に相当する位置で上壁１１上に、発泡前の樹脂Ｒａ，Ｒｂ，Ｒｃを各々に載せる。
【００５３】
次に、治具３３を下降させ、挿入部３２ｄを中空部１８に挿入し、凸部３３ｅ，３３ｆの下端を上壁１１に当接させ、図１６(b) の状態とする。
【００５４】
次に、樹脂の発泡機能に従って発泡を開始させる。図１６(b) に示すように、発泡が開始されて体積が増した樹脂は、治具３３で拡大方向が制限され、拡大した端面が挿入部３３ａの面に沿った形状となる。こうしてできた発泡体Ｒａ’，Ｒｂ’，Ｒｃ’により振動吸収部材２０が得られる。この振動吸収部材２０は、図１５に示すように、側壁１４において鍵長手方向に長く延びる下端１４１より上方に位置し、鍵本体１０からはみ出て見えるということがなく、鍵の良好な外観が保たれる。
【００５５】
図１７は、本発明のさらに他の実施形態に係る電子鍵盤楽器用鍵を縦断側面図で示している。図１７(a) に示す鍵１は、振動吸収部材２０を備えた上部部材１ａと、鍵以外の部材と協働する機能部分が位置する下部部材１ｂとを備えており、下部部材１ｂは上部部材１ａとは別体であり、振動吸収部材２０の下面に結合されている。この鍵１は、上部部材１ａと下部部材１ｂとが上下に重ねられて通常の鍵の高さとなるように、各部材の高さが小さくされている。
【００５６】
図１７(b) は上部部材１ａと下部部材１ｂとを結合する前の状態を示している。なお、図１７(b) は、側壁１４ａ（１５ａ）を示すために、振動吸収部材２０の一部を切欠いた状態を図示している。上部部材１ａは、上壁１１、前壁１２ａ、後壁１３ａ及び側壁１４ａ，１５ａを備え箱状をなす上部本体を備えている。振動吸収部材２０は、図１２に示したように、上部本体を上下逆にして置き、発泡前の樹脂を上壁１１ａ上に載せ、治具で発泡範囲を制限した状態で発泡させることにより形成することができる。或いは、一体成形された上部本体と、別個に発泡成形された振動吸収部材２０とを接着するようにしてもよい。
【００５７】
下部部材１ｂは、樹脂成形により上部にほぼ水平に延びる中段壁１９と、該中段壁１９の両側から垂下する側壁１４ｂ，１５ｂと、前部内壁１２ｂと、後壁１３ｂとを備えて箱形をなす。中段壁１９の下面にはアクチュエータ１４０が結合され、側壁１４ｂ，１５ｂからは鍵ストッパ１７が下方へ延びている。下部部材１ｂは、中段壁１９の上面と振動吸収部材２０の下面とを接着剤で接着することにより結合することができる。
【００５８】
この構造によれば、上部部材１ａは、アクチュエータ取付け箇所となる機能部分に邪魔されることなく、振動吸収部材を上壁の下面全体に形成することができる。下部部材１ｂは、振動吸収部材の形成から切り離して、アクチュエータ１４０の取付け箇所となる機能部分を備えるのに最適な製造形態で形成することができ、上部部材１ａに下部部材１ｂを結合すればよいので、製造が容易である。また、打鍵時の爪の衝突による振動は、上壁１１下方の振動吸収部材２０で吸収され、振動吸収部材２０は上壁１１と下部部材の中段壁１９とで上下を挟まれているので、振動吸収部材２０に伝わった音が外部へ漏れ出るのが防止され、甲高い音がより効果的に抑制される。
【００５９】
図１８は、本発明のさらに他の実施形態に係る電子鍵盤楽器用鍵及びその製造過程を縦断側面図で示している。図１８(a) は、鍵本体１０を上下逆にし、中空部１８における上壁１１上に発泡前の樹脂Ｒを置いた状態を示している。発泡時に使用する治具３４は、下部が鍵本体１０の中空部１８に挿入され得る形状となっており、該挿入部は、側壁１４，１５に接する広幅部３４ａと、該広幅部の下端から下方へ延びる狭幅部３４ｂとを備えている。したがって、治具３４を鍵本体１０の中空部１８に挿入すると、図１８(b) に示すように、鍵本体１０の上壁１１及び側壁１４，１５と治具３４との間にＵ字状の空間ができる。
【００６０】
この状態で樹脂Ｒを発泡させると、樹脂は体積を増加させＵ字状の空間を満たした発泡体Ｒ’となる。その後、図１８(c) に示すように治具３を上昇させて鍵本体１０から取り出すと、鍵本体１０内で上壁１１及び側壁１４，１５に沿った形状の振動吸収部材２０を有した鍵１が得られる。
【００６１】
このようして必要な量の樹脂で振動吸収部材２０を設けることにより、材料の無駄を省くことができる。また、上壁１１及び側壁１４，１５に沿った外壁寄りに振動吸収部材２０を設けることにより、鍵の剛性向上を効率的に行なうことができる。
【００６２】
図１９は、本発明のさらに他の実施形態に係る電子鍵盤楽器用鍵を縦断側面図で示している。図示の鍵１は、側壁１４，１５が、上壁１１と一体成形され間に中空部１８を有した１対の内側壁１４ｃ，１５ｃと、該内壁の外側に結合された外側壁１４ｄ、１５ｄとを備えている。上壁１１は、外側壁１４ｄ、１５ｄの厚さ分だけ、内側壁１４ｃ，１５ｃから鍵幅方向に突出している。この実施形態においても、中空部１８内に振動吸収部材２０が設けられている。
【００６３】
外側壁１４ｄ、１５ｄは、少なくとも隣の鍵が押鍵により下がった時に見える部分（見え掛かり部分）に延びる長さとするのが望ましい。図２０は、鍵本体１０から外側壁１４ｄ、１５ｄを分離した状態を平面図で示している。図示のように、この実施形態では、直線状に延びる側壁１４の全長、及び黒鍵を受け入れる段付きの側壁１５における幅広部分の側壁の全長の各々に亘る長さの外側壁１４ｄ、１５ｄが用いられている。外側壁１４ｄ、１５ｄは、内側壁１４ｃ，１５ｃに接着、ビス止め等の手段により結合することができる。
【００６４】
この構造によれば、外側壁１４ｄ、１５ｄは、内側壁１４ｃ，１５ｃと別個に形成することができ、例えば木質感のある材料を用いる等により、外観の優れた鍵とすることができる。また、その場合にも製造コストを低く抑えることができる。
【００６５】
図２１は、鍵本体１０内に振動吸収部材２０を備えた鍵１の製造方法の他の例を示している。ここでは、鍵本体１０は通常の向き（上壁１１が上）に置かれ、治具３５が下側から鍵本体１０の中空部１８へ挿入される。治具３５は、鍵本体１０の前壁１２、側壁１４，１５、後壁１３の内面に密に接する形状とされ、その厚さ方向に貫通する注入孔３５１が設けられている。
【００６６】
鍵本体１０に振動吸収部材２０を設けるには、治具３５の上部を鍵本体１０の中空部１８に下方から挿入する。治具３５はその上端と上壁１１との間に樹脂の発泡空間ができる位置まで挿入される。必要に応じて、鍵本体１０と治具３５との間にシール材を充填する等して液密にシールする。この状態で、注入孔３５１から発泡前の樹脂Ｒを注入する。そして、樹脂をその発泡特性に従って発泡させれば、体積の増加に伴って治具３５上端と上壁１１との間を満たす。次に、治具３５を下降させると、図２１(b) に示すような発泡体Ｒ’が得られる。この発泡体は注入孔３５１を満たした部分Ｒ１’が結合されているので、図２１(c) に示すように、部分Ｒ１’を切断する。これにより、振動吸収部材２０（発泡体）を備えた鍵１が得られる。
【００６７】
図２２は、本発明のさらに他の実施形態に係る電子鍵盤楽器用鍵を縦断正面図で示している。図示の鍵１は、上壁１１、側壁１４，１５、後壁１３、及び図外の前壁により箱形をなす鍵本体１０と、該鍵本体の中空部１８内の振動吸収部材２０とを備えている。この実施形態では、鍵本体１０が半透明の樹脂からなり、上壁１１の下面には、該上壁の打鍵面側から模様として見えるように凹凸部１１５が形成されている。上壁１１は、ＰＭＭＡ（ポリメチルメタクリレート）樹脂にフィラーを添加した半透明の材料で形成されている。
【００６８】
図２３は、図２２に示した上壁１１及び振動吸収部材２０の一部を拡大した断面図である。図示のように、上壁１１の下面の凹凸部１１５は、鍵本体の長手方向に各々延びる凸部１１６及び凹部１１７からなっている。振動吸収部材２０は、発泡樹脂により形成されており、その発泡は、既に説明したようにして鍵本体１０の中空部１８内で行なうことができる。これにより、振動吸収部材（発泡体）２０の上面は、上壁１１下面の凹凸部１１５に対応した凹凸面となる。
【００６９】
この構成においては、鍵本体１０に照射される光の一部は、上壁１１の上面で反射される一方、他の一部は、上壁１１の内部へ進行してその下面で反射され、再び上壁１１内を進行してその上面から放出される。この場合、上壁１１の上面では光が比較的均一に拡散されつつ反射される一方、上壁１１の下面に達した光は、その凹凸部１１５に応じた傾向をもって反射される。その結果、外部から見ると、上壁１１の凹凸部１１５に応じた縞模様は、上面から反射された光によって輪郭がかすみ、ぼんやりとした自然なものとなる。このように、上壁１１の上面と下面とで反射光の強度分布が異なることによる特有の深みのある外観が得られる。
【００７０】
この反射特性を利用し、鍵本体１０、特に上壁１１をアイボリー系の白色とすることにより、象牙の柾目に近い外観とすることもできる。従来は、象牙状外観を得るために、鍵本体の上板を下側部材と表層部材の二重構造とし、例えば２色射出成形で製造し（特開２００６−２６７４９２号公報）、これを木製の鍵ベース上に固定していたため、製造に手間が掛かり、二色成形による場合は鍵長手方向に延びる凹凸部など単純な模様に限定されるという欠点があった。これに対し、上記実施形態の構造によれば、製造が簡便であり、多様な模様を形成することができる。また、先の実施形態と同様に、中空部に充填された振動吸収部材２０により、爪衝突音が甲高く響くのを防止した音質の向上、壁部の補強、鍵の重量増による演奏性の向上という効果を得ることもできる。
【００７１】
凹凸部１１５は、図２４に示すように、凸部１１６及び凹部１１７の各角部１１６ａ、１１７ａに丸みを持たせてなだらかに変化させるのが望ましい。これにより、振動吸収部材２０を形成する際に、発泡した樹脂が凹凸部１１５の隅々まで行渡り、凹凸による特徴的な外観が良好且つ確実に得られる。
【００７２】
凹凸部１１５による模様は、他の種々の形態とすることができる。図２５は、凹凸部１１５による模様の例を示しており、図２５の(a) は図２３の模様の平面視、(b) は波形模様、(c) は木目（板目）模様を示している。振動吸収部材２０は、凹凸部１１５に応じて着色したり、模様を付加することができる。
【００７３】
本発明は、上記実施形態に限定されるものでなく、種々の変形が可能である。例えば、振動吸収部材２０は、多数の微細な高質量材料を含んだものとすることができる。これにより、鍵に適切な質量を持たせることが容易となり、別個に質量体を設ける必要性をなくすこともできる。また、各鍵に同じ寸法の振動吸収部材２０を備えさせながら、高質量材料の含有量を調整することにより、鍵によって質量を異ならせることもでき、例えば、低音側を高音側より重くする等により、より良好なタッチ感を容易に得ることができる。白鍵の形状は上記のものに限らず、アクチュエータを含め他の形状とすることができる。黒鍵は上壁の面積が小さいので一般的に爪の衝突音はさほど大きくないが、その衝突音が問題となる場合には、本発明を適用すれば効果的である。
【００７４】
各実施形態についての説明及び変更態様は、機能を損ねない限り、他の実施形態に対しても適用することができる。
【図面の簡単な説明】
【００７５】
【図１】本発明の一実施形態に係る電子楽器用鍵の斜視図である。
【図２】図１に示した鍵の平面図である。
【図３】図１に示した鍵の底面図である。
【図４】図１に示した鍵の右側面図である。
【図５】図２のV−V線に沿う断面図である。
【図６】本発明の他の実施形態に係る電子鍵盤楽器用鍵の縦断側面図である。
【図７】図６に示した鍵の底面図である。
【図８】本発明のさらに他の実施形態に係る電子鍵盤楽器用鍵の縦断側面図である。
【図９】本発明のさらに他の実施形態に係る電子鍵盤楽器用鍵の底面図である。
【図１０】図９に示した鍵を用いた鍵盤の一部を示す斜視図である。
【図１１】本発明のさらに他の実施形態に係る電子鍵盤楽器用鍵の縦断側面図である。
【図１２】図１１の鍵の製造工程の説明図である。
【図１３】本発明のさらに他の実施形態に係る電子鍵盤楽器用鍵の縦断側面図である。
【図１４】図１３の鍵の製造工程の説明図である。
【図１５】本発明のさらに他の実施形態に係る電子鍵盤楽器用鍵の縦断側面図である。
【図１６】図１５の鍵の製造工程の説明図である。
【図１７】本発明のさらに他の実施形態に係る電子鍵盤楽器用鍵の縦断側面図である。
【図１８】本発明のさらに他の実施形態に係る電子鍵盤楽器用鍵及びその製造工程を示す縦断正面図である。
【図１９】本発明のさらに他の実施形態に係る電子鍵盤楽器用鍵の縦断正面図である。
【図２０】図１９の鍵の一部を分解して示す平面図である。
【図２１】本発明の電子鍵盤楽器用鍵の製造工程の他の例を示す縦断側面図である。
【図２２】本発明のさらに他の実施形態に係る電子鍵盤楽器用鍵の縦断正面図である。
【図２３】図２２の鍵の一部を拡大して示す縦断正面図である。
【図２４】図２４の鍵の一部をさらに拡大して示す縦断正面図である。
【図２５】図２２の鍵における上壁の模様の変形例を示す底面図である。
【符号の説明】
【００７６】
１：電子鍵盤楽器用鍵、    １ａ：上部部材、    １ｂ：下部部材、１０：鍵本体、    １１：上壁（打鍵面）、    １２，１２ａ：前壁、    １３：後壁、    １４，１４ａ，１４ｂ，１５，１５ａ，１５ｂ：側壁、    １４ｃ，１５ｃ：内側壁、    １４ｄ、１５ｄ：外側壁、    １７：鍵ストッパ、    １８：中空部、    ２０：振動吸収部材、    ４１ａ，４１ｂ，４２ａ，４２ｂ：中間壁、    １１５：凹凸部、    １４０：アクチュエータ
【図１】
2009098628.tif 000003
【図２】
2009098628.tif 000004
【図３】
2009098628.tif 000005
【図４】
2009098628.tif 000006
【図５】
2009098628.tif 000007
【図６】
2009098628.tif 000008
【図７】
2009098628.tif 000009
【図８】
2009098628.tif 000010
【図９】
2009098628.tif 000011
【図１０】
2009098628.tif 000012
【図１１】
2009098628.tif 000013
【図１２】
2009098628.tif 000014
【図１３】
2009098628.tif 000015
【図１４】
2009098628.tif 000016
【図１５】
2009098628.tif 000017
【図１６】
2009098628.tif 000018
【図１７】
2009098628.tif 000019
【図１８】
2009098628.tif 000020
【図１９】
2009098628.tif 000021
【図２０】
2009098628.tif 000022
【図２１】
2009098628.tif 000023
【図２２】
2009098628.tif 000024
【図２３】
2009098628.tif 000025
【図２４】
2009098628.tif 000026
【図２５】
2009098628.tif 000027